(57)【特許請求の範囲】
【請求項１】
上面に化粧料収容凹部が形成された容器本体と、上記容器本体の後端部にヒンジ連結する蓋体とを備え、上記容器本体の前端部上面に、前面および上面が開放された凹部を形成し、上記容器本体の後端部に、上記蓋体を閉蓋状態に保持する保持部を設け、上記容器本体の外周面を、上側に向かって緩やかに窄まる内向き傾斜面に形成し、上記蓋体の外周面を、下側に向かって緩やかに窄まる内向き傾斜面に形成し、上記容器本体の上面の外周縁部と蓋体の下面の外周縁部とが略一致するように構成するとともに、上記容器本体の底壁に窓部を形成し、上記蓋体の後端部に突片を設け、上記蓋体を限度一杯に開回動させたときに、上記突片が容器本体の窓部に下方から進入し、上方に突出するように構成したことを特徴とする化粧料容器。
【発明の詳細な説明】
【０００１】
【発明の属する技術分野】
本発明は、化粧料容器に関するものである。
【０００２】
【従来の技術】
従来から化粧用のコンパクトは、種々のものが開発されて実用化されており、最近では、高級感のあるコンパクトの人気が高まっている。このようなコンパクトは高価であるため、内部に収容された化粧料を使い果たした後、レフィル用化粧料と取り替えて繰り返し使用することが行われている。このようなレフィル用化粧料は、例えば図１７に示すようなレフィル容器に収容されている。このレフィル容器は、上面に化粧料収容凹部４０ａが形成された容器本体４０と、この容器本体４０の上面を蓋する蓋体４１とを互いの後端部でヒンジ連結し、化粧料が充填された化粧皿（図示せず）を上記化粧料収容凹部４０ａの底面にホットメルト接着剤層（図示せず）を介して仮固定して構成されている。図において、４０ｂは容器本体４０の前壁に形成された突条であり、蓋体４１の前端部に形成された係合爪４１ａと着脱自在に係合する。４２は化粧料収容凹部４０ａの底壁に穿設させた貫通穴であり、化粧皿を取り外す際に細い棒等を挿入するために利用される。
【０００３】
【発明が解決しようとする課題】
しかしながら、このようなレフィル容器では、開蓋時に、一方の手指で容器本体４０を持ちながら、他方の手指で蓋体４１を後方に回動させる際に、蓋体４１を押し上げにくいという問題や、容器本体４０の上面と蓋体４１の下面との当接部分から埃等が内部に侵入しやすいという問題がある。しかも、上記当接部分が目につきやすく、容器本体４０の上面と蓋体４１の下面とがきれいに合致していないと、非常に見栄えが悪い。このため、寸法精度を高くする必要があるという問題もある。
【０００４】
本発明は、このような事情に鑑みなされたもので、開蓋しやすく、また、内部に埃等が侵入しにくく、しかも、寸法精度を高くする必要がない化粧料容器の提供をその目的とする。
【０００５】
【課題を解決するための手段】
上記の目的を達成するため、本発明の化粧料容器は、上面に化粧料収容凹部が形成された容器本体と、上記容器本体の後端部にヒンジ連結する蓋体とを備え、上記容器本体の前端部上面に、前面および上面が開放された凹部を形成し、上記容器本体の後端部に、上記蓋体を閉蓋状態に保持する保持部を設け、上記容器本体の外周面を、上側に向かって緩やかに窄まる内向き傾斜面に形成し、上記蓋体の外周面を、下側に向かって緩やかに窄まる内向き傾斜面に形成し、上記容器本体の上面の外周縁部と蓋体の下面の外周縁部とが略一致するように構成するとともに、上記容器本体の底壁に窓部を形成し、上記蓋体の後端部に突片を設け、上記蓋体を限度一杯に開回動させたときに、上記突片が容器本体の窓部に下方から進入し、上方に突出するようにした構成をとる。
【０００６】
すなわち、本発明の化粧料容器は、容器本体の外周面を、上側に向かって緩やかに窄まる内向き傾斜面に形成するとともに、蓋体の外周面を、下側に向かって緩やかに窄まる内向き傾斜面に形成しているため、閉蓋状態で、容器本体の上面と蓋体の下面との当接部分が容器本体の外周部分および蓋体の外周部分より内側に入り込んでおり、この内側に入り込んだ部分に指先等を挿入することにより、簡単に開蓋することができるうえ、上記当接部分から埃等が内部に侵入しにくくなる。しかも、上記当接部分が容器本体の外周部分および蓋体の外周部分より内側に入り込んでいるため、目につきにくく、容器本体の上面と蓋体の下面とがきれいに合致していなくても、見栄えがそれほど悪くならない。このため、寸法精度を高くする必要がなく、コストダウンが可能になる。
【０００７】
また、本発明の化粧料容器は、上記容器本体の底壁に窓部を形成し、上記蓋体の後端部に突片を設け、上記蓋体を限度一杯に開回動させたときに上記突片を容器本体の窓部に下方から進入させて上方に突出させるようにしている。すなわち、容器本体の上面に形成した化粧料収容凹部から、化粧料を収容した化粧皿を取り外す際に、閉蓋状態にある蓋体を後方に回動させて開けたのちさらに蓋体を開回動させて限度一杯まで蓋体を開くことにより、蓋体の後端部に設けた突片の先端部を上記容器本体の底壁に形成した窓部に下方から進入させて上方に突出させることができる。このため、上記化粧料収容凹部に収容されていた化粧皿の底面を上記突片で上方に押し上げ、この押し上げた化粧皿を手指で持ち上げることで、化粧皿を容器本体から取り外すことができる。
【０００８】
【発明の実施の形態】
つぎに、本発明を実施の形態および参考例を図面にもとづいて詳しく説明する。
【０００９】
図１〜図４は本発明の化粧料容器の構造の参考となる参考例の形態を示している。この参考例では、上記化粧料容器は、レフィル用である。これらの図において、１は透明なアクリル樹脂（ＰＭＭＡ）製の容器本体で、２は上記容器本体１の上面を蓋する透明なアクリル樹脂（ＰＭＭＡ）製の蓋体である。３は上記容器本体１に接着剤層５を介して接着，固定される長方形状の金属製のレフィル用化粧皿であり、このレフィル用化粧皿３の内部に化粧料４が収容されている。図１の参考例において、６はレフィル用化粧皿３を容器本体１から取り外す際に利用される貫通孔である（なお、本発明の化粧料容器に、貫通孔６はない。以下同じ。）。また、図３および図４の参考例において、７は透明なポリカーボネート（ＰＣ）製の左右一対のピンであり、容器本体１と蓋体２とをヒンジ連結する作用をする（本発明の化粧料容器においても同様。以下「本発明とは異なる」との断りがない限り、上記貫通孔６の有無を除き、本発明の化粧料容器においても同様の構成である。）。
【００１０】
上記容器本体１は、図５〜図９に示すように、その外形が略長方形に形成されており、その上面は、前面部１１ａと左右両側面部１１ｂでコ字状に形成された下側水平面部１１と、この下側水平面部１１の内側に長方形環状体として立設された環状壁部１２と、この環状壁部１２の上面に形成された上側水平面部１２ａと、上記環状壁部１２の内側に形成された断面形状長方形の化粧料収容凹部１３とからなっている。そして、この化粧料収容凹部１３に上記レフィル用化粧皿３が接着剤層５（図１の参考例を参照）を介して接着，固定されている。
【００１１】
また、上記容器本体１の後端部に切り欠き凹部１０が形成されており、この切り欠き凹部１０に上記蓋体２のヒンジ連結部２１（図１０の参考例を参照）が配設される。また、上記切り欠き凹部１０の前面には、その下部（詳しく説明すると、上記容器本体１の下端面よりやや上側の位置）の中央部分に、閉蓋状態で蓋体２のヒンジ連結部２１の前面に押圧状に当接して上記閉蓋状態を保持する保持用凸部（保持部）１４が突設されている。この保持用凸部１４は、図７に示すように、その下面が水平面であるとともにその上面が湾曲面である弓形に形成されており、かつ、上記湾曲面に形成された上面が、上記切り欠き凹部１０の前面からなだらかに隆起する傾斜面に形成されている。
【００１２】
また、上記容器本体１の前壁および左右両側壁は、その壁面が全て、上方に向かって内側に窄まる内向きテーパー面に形成されている。また、上記容器本体１の前壁の上端中央部には、前面および上面が開放された開蓋用凹部１５が形成されている。図７において、１６は上記容器本体１の切り欠き凹部１０の左右両側部分に相対峙するように貫通状に形成された一対のピン挿通孔である。
【００１３】
上記蓋体２には、図１０〜図１３の参考例に示すように、長方形状平板体に形成された蓋部２０と、この蓋部２０の後端部から垂下するヒンジ連結部２１とで構成されている。また、上記蓋部２０の下面が、前面部２２ａと左右両側面部２２ｂでコ字状に形成された水平面部２２と、この水平面部２２の内側に形成された断面形状長方形の凹部２３とからなっており、この凹部２３内に上記容器本体１の環状壁部１２（図１参照）が納まるようになっている。また、上記蓋体２の前後両側壁および左右両側壁は、その壁面が全て、下方に向かって内側に窄まる内向きテーパー面に形成されている。そして、上記容器本体１の下側水平面部１１と蓋体２の水平面部２２の外形が略同じ長方形に形成されている。図１２の参考例において、２４は上記容器本体１の一対のピン挿通孔１６に対応する上記ヒンジ連結部２１の左右両側面の部分に形成された一対のピン挿通孔であり、右側のピン挿通孔１６，ピン挿通孔２４に右側のピン７が挿入されているとともに、左側のピン挿通孔１６，ピン挿通孔２４に左側のピン７が挿入されている（図４の参考例を参照）。
【００１４】
上記の構成において、化粧料容器を組み立てる場合には、容器本体１の後端部の切り欠き凹部１０に蓋体２のヒンジ連結部２１を配設し、上記容器本体１の両ピン挿通孔１６に上記ヒンジ連結部２１の両ピン挿通孔２４を位置決めし、その状態で、両ピン７を上記容器本体１の両ピン挿通孔１６に外側から挿入し、このピン挿通孔１６を貫通させたのち、上記ヒンジ連結部２１の両ピン挿通孔２４に挿入する。そして、上記容器本体１の上面を蓋体２で蓋する。この閉蓋状態では、図１の参考例に示すように、上記容器本体１の下側水平面部１１上に蓋体２の水平面部２２が載置されている。このとき、上記容器本体１の下側水平面部１１の外周縁部と蓋体２の水平面部２２の外周縁部とが略一致している（図１および図１４参照）。また、上記蓋体２のヒンジ連結部２１の前面は、図１の参考例に示すように、容器本体１の保持用凸部１４で押圧されており、これにより、閉蓋状態が保持されている。
【００１５】
また、開蓋する場合には、閉蓋状態にある容器本体１を一方の手指で持ちながら、容器本体１の前壁の開蓋用凹部１５に他方の手指の指先等を挿入し、この指先等で蓋体２を上方に押し上げたり、蓋体２の上面の前側部分もしくは左右両側部分を他方の手指で挟むようにして持ち上げたりする。これにより、蓋体２のヒンジ連結部２１の前面が容器本体１の保持用凸部１４に当接しながら回動したのち保持用凸部１４を乗り越え、閉蓋状態が解除される（すなわち、開蓋する）。一方、閉蓋する場合には、開蓋状態にある蓋体２を容器本体１の上面側に回動させ、蓋体２が容器本体１の上面に近づくと強く押圧する。これにより、蓋体２のヒンジ連結部２１の前面が容器本体１の保持用凸部１４を乗り越え、閉蓋状態に保持される。
【００１６】
このように、上記参考例および本発明の実施の形態では、容器本体１の前壁と左右両側壁の壁面が全て、上方に向かって内側に窄まる内向きテーパー面に形成されており、蓋体２の前後両側壁および左右両側壁の壁面が全て、下方に向かって内側に窄まる内向きテーパー面に形成されているため、蓋体２を上方に回動させやすく、開蓋作業がしやすくなるうえ、容器本体１の上面と蓋体２の下面との当接部分から埃等が内部に侵入しにくくなる。しかも、上記当接部分が目につきにくいため、容器本体１の上面と蓋体２の下面とがきれいに合致していなくても、見栄えがそれほど悪くない。しかも、容器本体１および蓋体２が透明であるため、レフィル用化粧皿３に収容する化粧料４の残量が外部から見え、非常に使い勝手がよい。しかも、化粧料４を使い終わったのちに廃棄する際に、金属製のレフィル用化粧皿３だけを容器本体１から分離することにより、化粧料容器をそのまま捨てることができて廃棄時の分別収集が容易になる。さらに、レフィル用化粧皿３をなくし、容器本体１の化粧料収容凹部１３に化粧料４を直接充填することにより、全てが透明のクリスタル調の化粧料容器を提供することができ、店先に陳列された場合にも化粧料４の色がはっきり見え、訴求力が上がる。また、この場合には、化粧料４を使い終わったのちに廃棄する際に、そのまま捨てることができる。
【００１７】
図１５は本発明の化粧料容器の一実施の形態を示している。この実施の形態における化粧料容器が、上記参考例の化粧料容器と異なる点は、蓋体２の後端部の左右両側に、一対の突片３０が一体的に突設されている点である。また、上記蓋体２の後端部の中央には、凹部３１が形成されており、上記蓋体２の回動時に、上記凹部３１に容器本体１の後端部が進入し、蓋体２の後端部と容器本体１の後端部とが当接しないようにしている。一方、参考例の貫通孔６に代えて、本発明の容器本体１の底部の左右両側には、上記蓋体２の回動時に上記両突片３０が通過しうる、一対の切り欠き部（窓部）３２が形成されている（図１６参照）。それ以外の部分は上記参考例と同様であり、同様の部分には同じ符号を付している。
【００１８】
この実施の形態において、容器本体１からレフィル用化粧皿３を取り外す場合には、まず、上記参考例と同様にして開蓋したのち、さらに蓋体２を後方に回動させて、図１５に示すように、上記蓋体２の両突片３０を容器本体１の両切り欠き部３２に通し、両突片３０の先端を、化粧料収容凹部１３内に突入させる。これにより、上記化粧料収容凹部１３の底面に接着剤層５を介して接着，固定されていたレフィル用化粧皿３が、上記両突片３０の先端で上方に押し上げられ、この押し上げられたレフィル用化粧皿３を、手指で持ち上げることにより、容器本体１からレフィル用化粧皿３を取り外すことができる。
【００１９】
この実施の形態では、上記参考例と同様の作用・効果を奏する。すなわち、容器本体１および蓋体２の前壁が内側に窄まる内向きテーパー面に形成されているため、蓋体２を上方に回動させやすく、開蓋作業がしやすい。しかも、蓋体２を開蓋動作の続きで容器本体１からレフィル用化粧皿３を取り外すことができる。このとき、蓋体２の後壁の壁面が、下方に向かって内側に窄まる内向きテーパー面に形成されているため、容器本体１の両切り欠き部３２の前後方向長さを短くしながらも、蓋体２の開蓋角度を大きくとることができる。
【００２０】
また、上記参考例で述べたことと同様、この実施の形態における化粧料容器も、化粧料４を使い終わったのちに廃棄する際に、金属製のレフィル用化粧皿３だけを容器本体１から容易に分離でき、廃棄時の分別収集が容易になる。しかも、上記当接部分が目につきにくいため、容器本体１の上面と蓋体２の下面とがきれいに合致していなくても、見栄えがそれほど悪くならず、この当接部分からは、埃等が内部に侵入しにくい。さらに、容器本体１および蓋体２が透明であるため、レフィル用化粧皿３に収容する化粧料４の残量が外部から見え、非常に使い勝手がよい。そして、レフィル用化粧皿３をなくし、容器本体１の化粧料収容凹部１３に化粧料４を直接充填した場合は、全てが透明のクリスタル調の化粧料容器を提供することができ、店先に陳列された場合にも化粧料４の色がはっきり見え、訴求力が上がる。なお、図１５に示す実施の形態では、蓋体２の後端部の左右両側に一対の突片３０を一体的に突設しているが、これに限定するものではなく、着脱自在に取り付けてもよい。
【００２１】
【発明の効果】
以上のように、本発明の化粧料容器によれば、容器本体の外周面を、上側に向かって緩やかに窄まる内向き傾斜面に形成するとともに、蓋体の外周面を、下側に向かって緩やかに窄まる内向き傾斜面に形成しているため、閉蓋状態で、容器本体の上面と蓋体の下面との当接部分が容器本体の外周部分および蓋体の外周部分より内側に入り込んでおり、この内側に入り込んだ部分に指先等を挿入することにより、簡単に開蓋することができるうえ、上記当接部分から埃等が内部に侵入しにくくなる。しかも、上記当接部分が容器本体の外周部分および蓋体の外周部分より内側に入り込んでいるため、目につきにくく、容器本体の上面と蓋体の下面とがきれいに合致していなくても、見栄えがそれほど悪くならない。このため、寸法精度を高くする必要がなく、コストダウンが可能になる。
【００２２】
本発明の化粧料容器は、上記容器本体の底壁に窓部を形成し、上記蓋体の後端部に突片を設け、上記蓋体を限度一杯に開回動させたときに上記突片を容器本体の窓部に下方から進入させて上方に突出させるようになっているため、容器本体の上面に形成した化粧料収容凹部から化粧皿を取り外す際に、閉蓋状態にある蓋体を後方に回動させて開けたのち、さらに蓋体を開回動させて限度一杯まで蓋体を開くことにより、蓋体の後端部に設けた突片の先端部が、上記容器本体の底壁に形成した窓部に下方から進入して上方に突出する。これにより、上記化粧料収容凹部に収容されていた化粧皿の底面を上記突片で上方に押し上げ、この押し上げた化粧皿を手指で持ち上げることで、化粧皿を容器本体から取り外すことができる。
【図面の簡単な説明】
【図１】参考例の化粧料容器の断面図である。
【図２】参考例の化粧料容器の正面図である。
【図３】参考例の化粧料容器の側面図である。
【図４】参考例の化粧料容器の背面図である。
【図５】参考例の容器本体の断面図である。
【図６】参考例の容器本体の側面図である。
【図７】参考例の容器本体の背面図である。
【図８】参考例の容器本体の平面図である。
【図９】参考例の容器本体の正面図である。
【図１０】参考例の蓋体の断面図である。
【図１１】参考例の蓋体の底面図である。
【図１２】参考例の蓋体の背面図である。
【図１３】参考例の蓋体の側面図である。
【図１４】参考例の化粧料容器の要部断面図である。
【図１５】本発明の化粧料容器の一実施の形態の作用を示す断面図である。
【図１６】本発明の一実施の形態における容器本体の平面図である。
【図１７】従来例を示す斜視図である。
【符号の説明】
１  容器本体
２  蓋体
１３  化粧料収容凹部
１４  保持用凸部
１５  開蓋用凹部
【図１】
0004738577.tif 000002
【図２】
0004738577.tif 000003
【図３】
0004738577.tif 000004
【図４】
0004738577.tif 000005
【図５】
0004738577.tif 000006
【図６】
0004738577.tif 000007
【図７】
0004738577.tif 000008
【図８】
0004738577.tif 000009
【図９】
0004738577.tif 000010
【図１０】
0004738577.tif 000011
【図１１】
0004738577.tif 000012
【図１２】
0004738577.tif 000013
【図１３】
0004738577.tif 000014
【図１４】
0004738577.tif 000015
【図１５】
0004738577.tif 000016
【図１６】
0004738577.tif 000017
【図１７】
0004738577.tif 000018